(57)【要約】【課題】自動車の内装において光の動きを演出する際に、発光源を含む電子部品の増加や電子制御の必要性を避けてコストダウンを図るとともに、発光源の移動による配線の断線などを解消する。【解決手段】光の動きを演出する光制御装置であって、基板１０に固定された発光源１４と、基板に対して移動可能に組み付けられ、かつ、発光源で発せられた光が入射される導光体２２とを備えている。この導光体が、発光源１４からの入射光を鏡面反射させて出射光を放つ反射面２２ａを有し、この反射面には、複数個の反射点が設定されている。これらの反射点が導光体２２の移動によって順に選択され、この選択された反射点においてのみ、出射光を放つように構成されている。【選択図】図２
2015174480.tif 000002
【特許請求の範囲】
【請求項１】
自動車の内装において光の動きを演出するための光制御装置であって、
基板に固定された発光源と、基板に対して移動可能に組み付けられ、かつ、発光源で発せられた光が入射される導光体とを備え、導光体が、発光源からの入射光を鏡面反射させて出射光を放つ反射面を有し、この反射面には、複数個の反射点が設定されており、これらの反射点が導光体の移動によって順に選択され、この選択された反射点においてのみ、出射光を放つように構成されている光制御装置。
【請求項２】
請求項１に記載された光制御装置であって、
導光体が基板に対して回転可能に組み付けられ、導光体の回転によって反射面の反射点が順に選択されるように構成されている光制御装置。
【発明の詳細な説明】
【技術分野】
【０００１】
本発明は、自動車内のインストルメントパネル、ドアトリム、インナールーフなどといった部材を対象とし、これら内装の所定箇所において光の動きを演出するための光制御装置に関する。
【背景技術】
【０００２】
このような光の演出には、複数の発光源を順に発光させ、あるいは一つの発光源を移動させて光が流れるように見せている。例えば特許文献１に開示されている技術では、シフトパターン表示部に設けられた複数の発光源を順に点滅させることにより、光の流れを作ってシフトレバーの操作経路を表示している。
【先行技術文献】
【特許文献】
【０００３】
【特許文献１】特開２００２−３０１９４６号公報
【発明の概要】
【発明が解決しようとする課題】
【０００４】
光の演出にあたって、複数の発光源を用いて順に発光させる場合は、発光源を含む電子部品の増加や電子制御を要することからコストアップを招き、一つの発光源を移動させる場合には、電気配線の断線などが懸念される。
【０００５】
本発明は、このような課題を解決しようとするもので、その目的は、光の動きを演出する際に、発光源を含む電子部品の増加や電子制御の必要性を避けてコストダウンを図るとともに、発光源の移動による配線の断線などを解消することである。
【課題を解決するための手段】
【０００６】
本発明は、上記の目的を達成するためのもので、以下のように構成されている。
【０００７】
自動車の内装において光の動きを演出するための光制御装置であって、基板に固定された発光源と、基板に対して移動可能に組み付けられ、かつ、発光源で発せられた光が入射される導光体とを備えている。この導光体が、発光源からの入射光を鏡面反射させて出射光を放つ反射面を有し、この反射面には、複数個の反射点が設定されている。これらの反射点が導光体の移動によって順に選択され、この選択された反射点においてのみ、出射光を放つように構成されている。
【０００８】
さらに好ましくは、導光体が基板に対して回転可能に組み付けられ、導光体の回転によって反射面の反射点が順に選択されるように構成されていることである。
【発明の効果】
【０００９】
本発明においては、導光体の反射面に設定されている複数個の反射点が導光体の移動によって選択され、その選択された反射点においてのみ出射光を放つことから、導光体を移動させることによって出射光の位置が変化することになり、結果として光の動きを演出することができる。このことは、従来のように複数の発光源を順に発光させ、あるいは一つの発光源を移動させて光の動きを演出するのと異なり、発光源を含む電子部品の増加や電子制御の必要性を避けてコストダウンを図ることができるとともに、発光源の移動による配線の断線などを解消することができる。
【００１０】
また、導光体の回転によって反射面の反射点を選択することにより、光の動きを演出する際の基板に対する導光体の動きがガタツキなく円滑となり、出射光の指向性などが高精度に保たれる。
【図面の簡単な説明】
【００１１】
【図１】光制御装置の外観斜視図。
【図２】光制御装置の分解斜視図。
【図３】光制御装置の正面図。
【図４】図３のIV―IV線矢視方向の断面図。
【図５】導光体を遮光カバーの内側から見た外観斜視図。
【図６】図５のVI矢視方向の側面図。
【図７】発光源と導光体とを図３と対応させて表した正面図。
【図８】導光体の回転による反射点の変化を表した説明図。
【図９】図６の反射点の変化に対応した導光体からの出射光の変化を表した説明図。
【図１０】導光体の変更例を表した正面図。
【発明を実施するための形態】
【００１２】
以下、本発明を実施するための形態を、図面を用いて説明する。図１〜図４で示す光制御装置の基板１０は、その前面側Ｓａが光の動きを演出する表示部であり、背面側Ｓｂが光の制御部になっている。したがって、基板１０の前面側Ｓａには、自動車の内装（インストルメントパネルやドアトリムなど）における光表示箇所（図示省略）が位置することになる。
【００１３】
基板１０の背面側Ｓｂにおいては、発光ダイオード（ＬＥＤ）などの発光源１４がブラケット１２によって基板１０に固定されている。また、基板１０には、発光源１４から発せられる直線光とほぼ同軸線に沿った所定の範囲において透光スリット１６が設けられている。この透光スリット１６は、基板１０の前面側Ｓａと背面側Ｓｂとにわたって貫通している（図４）。
【００１４】
基板１０の背面側Ｓｂには、発光源１４からの光を入射する箇所において導光体２２が配置されている。この導光体２２は、それを被う遮光カバー２４を介して基板１０に支持されている。つまり、この遮光カバー２４の内側に導光体２２が組み付けられ、遮光カバー２４から一体に延びるアーム部２６の端部が、基板１０に成形された円筒形状の軸支部１８に段付きボルト等の支持軸２８によって回転可能に支持されている。これにより、導光体２２は支持軸２８の軸心回りに基板１０に沿って回転することができる。
【００１５】
なお、アーム部２６は、導光体２２を回転させる際のアーム部２６と発光源１４との干渉を避けるために、遮光カバー２４に対して基板１０から離れる方向へクランクさせた形状になっている。これに対応させるべく、基板１０における軸支部１８の突出量が設定されている。
【００１６】
遮光カバー２４に対する導光体２２の組み付け構造を具体的に説明すると、導光体２２における上側縁の全域および下側縁の一部はそれぞれフランジ部２２ｃになっている。これらの両フランジ部２２ｃが、遮光カバー２４の内側にある溝状の箇所にはめ込まれ、かつ、複数個の結合ピン２５によって固定されている（図５，６）。
【００１７】
導光体２２は、樹脂材などによる透明もしくは半透明の一体成形品である。この導光体２２における円弧形状の端面は、発光源１４からの入射光を直角方向へ鏡面反射させて出射光（直線光）を放つ反射面２２ａになっている。そして、反射面２２ａから放たれる出射光は、基板１０の透光スリット１６を通じて前面側Ｓａを照射する。
【００１８】
導光体２２の反射面２２ａは、導光体２２の円弧端面に沿って複数個に区分されたノコギリ歯状になっており、それらの個々において出射光を放つ反射点２２ｂが設定されている（図７）。しかし、反射面２２ａの形状は導光体２２の円弧端面に沿って連続する曲面であっても成立し得る。その場合においても、円弧端面に沿って複数個の反射点２２ｂが設定されることに変わりはない。これらの反射点２２ｂのうち、導光体２２を支持軸２８の軸心回りに回転させることで選択された反射点２２ｂにおいてのみ、透光スリット１６を通じて前面側Ｓａに出射光を放つこととなる。
【００１９】
ここで、導光体２２の回転による反射点２２ｂの選択について具体的に説明する。図８（Ａ）で示すように導光体２２が原回転位置にあるとき、この図面で示す一つの反射点２２ｂにおいてのみ、発光源１４からの入射光を図９（Ａ）で示すように直角方向へ反射させる。導光体２２を例えば図８（Ｂ）又は図８（Ｃ）で示す位置に回転させると、それぞれの図面で示す一つの反射点２２ｂにおいてのみ、発光源１４からの入射光を図９（Ｂ）又は図９（Ｃ）で示すように直角方向へ反射させる。このように導光体２２を回転させることにより、各反射点２２ｂにおいて直角方向へ反射する出射光の位置が図９の左右方向へ変化する。
【００２０】
基板１０の背面側Ｓｂには、導光体２２の回転範囲において遮光カバー２４を表面側から支えるサポートバー３０が設けられている。このサポートバー３０の両端部は、基板１０に成形された一対の結合部２０にボルト等の固定軸３１によってそれぞれ結合されている。サポートバー３０は、導光体２２の回転中においても常に遮光カバー２４の表面を支えることにより、各結合ピン２５の半球状の頭部を基板１０の面に接触させた状態に維持する。この結果、基板１０に対する導光体２２の回転が、ガタツキなく円滑に行われることになる。
【００２１】
基板１０の透光スリット１６には、複数本の光ファイバー３２が該透光スリット１６の長手に沿って並べられた状態で組み込まれている（図４）。これらの光ファイバー３２の本数は、導光体２２における反射面２２ａの各反射点２２ｂの個数と対応させている。また、図４で示すように各光ファイバー３２は、透光スリット１６から基板１０の前面側Ｓａに突出しているとともに、それぞれの突出寸法を変えている。これにより、各光ファイバー３２の先端部が基板１０の前面側Ｓａにおいて階段状に位置している。
【００２２】
前述のように導光体２２の回転によって選択された反射点２２ｂで反射された出射光は、その反射点２２ｂに対応する一本の光ファイバー３２の先端部で発光する。そこで、導光体２２を回転させて出射光の位置を変化させると、長さの異なる各光ファイバー３２において個々の先端部が順に発光する。この結果、基板１０の前面側Ｓａでは、光の流れるような動きを演出することができる。
【００２３】
この光の演出は、導光体２２を回転させることで行っていることから、複数の発光源を順に発光させ、あるいは一つの発光源を移動させて光の動きを演出するのと異なり、発光源を含む電子部品を減らし、複雑な電子制御も不要となる。また、導光体２２を基板１０の面に沿って回転させることで、この導光体２２の動きが円滑に保たれ、出射光の指向性などが高精度に保たれる。
【００２４】
導光体２２を支持軸２８の軸心回りに回転させる手段は、電動あるいは手動のいずれでもよい。手動については、導光体２２を直接回転操作してもよいが、好ましくは例えばヒーターコントロールスイッチ（図示しない）の操作に連動させて導光体２２を回転させるようにする。これにより、ヒーターコントロールスイッチの操作と光りの演出とをリンクさせることができる。
【００２５】
図１０で示す導光体２２は、その一部にショットブラスト加工などによる拡散反射部２３を備えている。この拡散反射部２３は、発光源１４からの入射光を乱反射させることができる。その結果、図４で示す各光ファイバー３２が全て発光することになり、基板１０の前面側Ｓａにおいては、動かない広範囲の光を演出することができる。
【００２６】
以上は本発明を実施するための最良の形態を図面に関連して説明したが、この実施の形態は本発明の趣旨から逸脱しない範囲で容易に変更または変形できるものであり、その一例（１）〜（３）をつぎに説明する。
【００２７】
（１）前述のように、導光体２２の各反射点２２ｂが選択されることによって出射光の位置が変化するので、光ファイバー３２を廃止しても基板１０の前面側Ｓａにおいては透光スリット１６の長手方向に沿った光の流れを演出することが可能である。この場合、透光スリット１６の前に透明ブロックを配置し、出射光の変化を拡大することもできる。
（２）導光体２２の反射面２２ａの形状を変更した上で、導光体２２を基板１０に対してスライドさせることにより、反射面２２ａの各反射点２２ｂを選択するようにしてもよい。
（３）導光体２２は、その材質などによって発光源１４からの入射光が拡散する場合がある。これに対処するために、発光源１４と導光体２２との間に集光レンズを配置することで、導光体２２への入射光を直線光に近づけることができる。
【符号の説明】
【００２８】
１０ 基板
１４ 発光源
２２ 導光体
２２ａ  反射面
２２ｂ  反射点
【図１】
2015174480.tif 000003
【図２】
2015174480.tif 000004
【図３】
2015174480.tif 000005
【図４】
2015174480.tif 000006
【図５】
2015174480.tif 000007
【図６】
2015174480.tif 000008
【図７】
2015174480.tif 000009
【図８】
2015174480.tif 000010
【図９】
2015174480.tif 000011
【図１０】
2015174480.tif 000012